(57)【特許請求の範囲】
【請求項１】
後端側を固定して突設される支持体と、ホースを接続して設けられるとともに前記支持体の先端側に着脱可能且つ引出可能に設けられた吐水ヘッドとを備える水栓であって、
前記吐水ヘッドが、ヘッド本体と、ホースの先端部を接続し、前記ヘッド本体の内孔に挿入配置されるホース取付部材と、吐水口を有し、前記ヘッド本体の内孔内に挿入配置される吐水口部材とを備えるとともに、前記ヘッド本体と前記ホース取付部材と前記吐水口部材のそれぞれに固定孔が設けられ、
互いに連通した前記ヘッド本体と前記ホース取付部材と前記吐水口部材の前記固定孔に固定部材を挿入して前記ヘッド本体と前記ホース取付部材と前記吐水口部材を一体に接続して固定するように構成されていることを特徴とする水栓。
【請求項２】
請求項１記載の水栓において、
前記ヘッド本体に、前記ヘッド本体の内孔に前記ホース取付部材を挿入して所定位置に配置した状態で前記ホース取付部材を位置決め保持する係止片が設けられている水栓。
【請求項３】
請求項１または請求項２に記載の水栓において、
前記ヘッド本体の外面を覆うように取り付けられるカバー部材を備え、
前記カバー部材に固定孔が設けられ、互いに連通した前記ヘッド本体と前記ホース取付部材と前記吐水口部材と前記カバー部材の前記固定孔に前記固定部材を挿入して前記ヘッド本体と前記ホース取付部材と前記吐水口部材とともに前記カバー部材を一体に接続して固定するように構成されている水栓。
【発明の詳細な説明】
【技術分野】
【０００１】
本発明は、水栓に関する。
【背景技術】
【０００２】
従来、基端をキッチンカウンターや洗面化粧台の天板などに固定して突設された支持体と、水を吐出する吐水口を備え、支持体の先端側に配設されるとともに支持体に対し着脱可能で引出可能に設けられた吐水ヘッド（吐水部本体）とからなる吐水部を備えた水栓がキッチンカウンターや、トイレ、洗面所の洗面化粧台などに多用されている。
【０００３】
また、吐水ヘッドは、略筒状に形成されたヘッド本体と、ヘッド本体の先端側に取り付けられ、吐水口を形成する吐水口部材とを備え、ヘッド本体の後端側からホース先端を挿入しつつホースをヘッド本体に第１の固定部材を用いて取り付け、さらにヘッド本体の先端側に第２の固定部材を用いて吐水口部材を取り付けて構成されている（例えば、特許文献１参照）。
【先行技術文献】
【特許文献】
【０００４】
【特許文献１】特開２０１０−１２７０１０号公報
【発明の概要】
【発明が解決しようとする課題】
【０００５】
しかしながら、上記従来の水栓においては、第１の固定部材を用いてホースをヘッド本体に取り付け、第２の固定部材を用いて吐水口部材をヘッド本体の先端側に取り付け、ホースと吐水口部材をそれぞれ個別にヘッド本体に固定して吐水ヘッドを組み付けるように構成されている。このため、ヘッド本体にホース、吐水口部材を固定する固定部の構造が複雑になり、また、組み付け作業の工数が多くなるという点で改善の余地が残されていた。
【０００６】
本発明は、上記事情に鑑み、ヘッド本体に対し、ホースと吐水口部材を一度に固定することを可能にした水栓を提供することを目的とする。
【課題を解決するための手段】
【０００７】
上記の目的を達するために、この発明は以下の手段を提供している。
【０００８】
本発明の水栓は、後端側を固定して突設される支持体と、ホースを接続して設けられるとともに前記支持体の先端側に着脱可能且つ引出可能に設けられた吐水ヘッドとを備える水栓であって、前記吐水ヘッドが、ヘッド本体と、ホースの先端部を接続し、前記ヘッド本体の内孔に挿入配置されるホース取付部材と、吐水口を有し、前記ヘッド本体の内孔内に挿入配置される吐水口部材とを備えるとともに、前記ヘッド本体と前記ホース取付部材と前記吐水口部材のそれぞれに固定孔が設けられ、互いに連通した前記ヘッド本体と前記ホース取付部材と前記吐水口部材の前記固定孔に固定部材を挿入して前記ヘッド本体と前記ホース取付部材と前記吐水口部材を一体に接続して固定するように構成されていることを特徴とする。
【０００９】
また、本発明の水栓においては、前記ヘッド本体に、前記ヘッド本体の内孔に前記ホース取付部材を挿入して所定位置に配置した状態で前記ホース取付部材を位置決め保持する係止片が設けられていることが望ましい。
【００１０】
さらに、本発明の水栓においては、前記ヘッド本体の外面を覆うように取り付けられるカバー部材を備え、前記カバー部材に固定孔が設けられ、互いに連通した前記ヘッド本体と前記ホース取付部材と前記吐水口部材と前記カバー部材の前記固定孔に前記固定部材を挿入して前記ヘッド本体と前記ホース取付部材と前記吐水口部材とともに前記カバー部材を一体に接続して固定するように構成されていることがより望ましい。
【発明の効果】
【００１１】
本発明の水栓においては、筒状のヘッド本体と、ホースの先端部を接続し、ヘッド本体の内孔に挿入配置されるホース取付部材と、吐水口を有し、ヘッド本体の内孔内に挿入配置される吐水口部材のそれぞれに固定孔が形成され、所定位置に配置するとともに互いに連通した固定孔に固定部材を挿入して嵌合させることによって、ヘッド本体とホース取付部材と吐水口部材の３部材を一度に一体に接続固定することができる。
【００１２】
よって、本発明の水栓によれば、一つの固定部でヘッド本体とホース取付部材と吐水口部材を固定することができ、従来と比較し、組付性（組み付け時の作業性）を大幅に向上させることができる。また、固定部の構成を簡素化することができ、製造コスト、製品コストの低減を図ることが可能になる。
【図面の簡単な説明】
【００１３】
【図１】洗面化粧台を示す斜視図である。
【図２】本発明の一実施形態に係る水栓の吐水部を示す斜視図である。
【図３】本発明の一実施形態に係る水栓の吐水部を示す斜視図であり、支持体から吐水ヘッドを引き出す状態を示す図である。
【図４】図３のＸ１−Ｘ１線矢視図であり、本発明の一実施形態に係る自動水栓の吐水部を示す断面図である。
【図５】本発明の一実施形態に係る水栓の吐水部の吐水ヘッドを示す断面図である。
【図６】本発明の一実施形態に係る水栓の吐水ヘッドの組み付け状況を示す図であり、ヘッド本体にホース及びホース取付部材を取り付けている状況を示す断面図である。
【図７】ヘッド本体の係止片がホース取付部材を係止した状態を示す拡大図である。
【図８】ヘッド本体の係止片がホース取付部材を係止した状態を示す拡大図である。
【図９】本発明の一実施形態に係る水栓の吐水ヘッドの組み付け状況を示す図であり、ヘッド本体に吐水口部材を取り付けている状況を示す断面図である。
【発明を実施するための形態】
【００１４】
以下、図１から図９を参照し、本発明の一実施形態に係る水栓について説明する。
【００１５】
本実施形態の水栓Ａは、図１、図２から図４に示すように、例えば、洗面化粧台Ｂに設けられ、支持体１と、水を吐出する吐水口２を備え、支持体１の先端側に配設されるとともに支持体１に対し着脱可能で引出可能に設けられた吐水ヘッド３からなる吐水部４を備えて構成されている。
【００１６】
また、本実施形態では、支持台１が洗面化粧台Ｂのキャビネットや洗面ボウルの立壁面などに固定して突設され、吐水部４（水栓Ａ）が斜め下方向に突出して設置されている。
【００１７】
本実施形態の吐水部４は、支持体１の先端側に検知センサ５ａを有するセンサ部５を支持体１に一体に設けて構成され、検知センサ５ａ（センサ部５）で手などの物体を検知すると自動的に吐水し、検知センサ５ａによる検知範囲から物体が外れると自動的に止水するように構成されている。
【００１８】
なお、この自動水栓Ａは、例えば水汲みを行う場合など、長時間吐水を続けたい場合に、手動操作部を操作することによって手動水栓としても使用できるように構成されている。
【００１９】
本実施形態では、センサ部５が、支持体１で保持した状態の吐水ヘッド３の上方（あるいは手前）に設けられ、吐水ヘッド３と上下方向（あるいは前後方向）に重なるように設けられている。このとき、センサ部５と吐水ヘッド３がそれぞれ断面略半円形状に形成され、センサ部５と吐水ヘッド３が互いに重なるように、且つセンサ部５の平面状の下面５ｂと吐水ヘッド３の平面状の上面３ａを面接触するように対向させて吐水ヘッドを保持した状態で、センサ部５と吐水ヘッド３を合わせた吐水部４の先端部分が略円柱状を呈するように構成されている。
【００２０】
また、吐水ヘッド３の後端面３ｂと面接触するように対向する支持体１の前面１ａに、吐水ヘッド３の引出方向Ｔ１前方側に突出する円筒状の保持部６が設けられている。そして、この円筒状の保持部６の内部にホース（フレキシブル配管）７を進退自在に挿入し、ホース７の先端を吐水ヘッド３に接続することによって、吐水ヘッド３が吐水可能且つ引出可能とされている。
【００２１】
また、吐水ヘッド３の後端面３ｂには嵌合孔３ｃが凹設され、吐水ヘッド３を収納するように戻す際に保持部６を嵌合孔３ｃに嵌合させることで、吐水ヘッド３を着脱可能に保持するように構成されている。
【００２２】
一方、本実施形態の吐水ヘッド３は、図４及び図５に示すように、略筒状の断面略半円形状に形成されたヘッド本体１０と、ホース７の先端側に接続し、ホース７の先端側とともにヘッド本体１０の内孔１０ｂに挿入配置して保持されるホース取付部材１１と、先端に吐水口２を有し、ヘッド本体１０の内孔１０ｂの先端１０ａ側に挿入配置して保持される吐水口部材１２と、ヘッド本体１０の外面を覆うように取り付けられるカバー部材１３とを備えて構成されている。
【００２３】
ヘッド本体１０は、その軸線方向Ｏ１後端側が支持体嵌合部１４、先端側が吐水口嵌合部１５、支持体嵌合部１４と吐水口嵌合部１５の間の中央部分がホース取付嵌合部１６とされている。
そして、支持体嵌合部１４は、その内孔１０ｂが支持体１の保持部６の外径と略同等の内径で形成されている。これにより、ヘッド本体１０の後端側の支持体嵌合部１４に保持部６を嵌合させることによって、吐水ヘッド３を支持体１の先端側に着脱可能に取り付ける（収納する）ことができる。
【００２４】
ホース取付嵌合部１６は、その内孔１０ｂ（内面）がホース取付部材１１の後述するホース接続部１９、段部２２、吐水口係合受部２０の外面が略面接触して係合するように、ホース取付部材１１の形状に対応して形成されている。すなわち、ヘッド本体１０のホース取付嵌合部１６の内孔１０ｂは、その内面に、ホース取付部材１１のホース接続部１９が係合する第１係合面１６ａと、段部２２が係合する第２係合面（段部受け面）１６ｂと、吐水口係合受部２０が係合する第３係合面１６ｃを備えて形成されている。
【００２５】
さらに、ホース取付嵌合部１６には、図５及び図６に示すように、その先端側と後端側に、ヘッド本体１０の軸線方向Ｏ１に沿って係止片１７、３２が突出形成されている。また、各係止片１７、３２は、弾性変形可能に形成されるとともに、その先端に内側に突出する係止部（ラッチ、爪部）１７ａおよび外側に突出する係止部（ラッチ、爪部）３２ａが設けられている。
【００２６】
さらに、ヘッド本体１０には、ホース取付嵌合部１６に内面から外面に貫通する固定孔１８が形成されている。
【００２７】
次に、ホース取付部材１１は、軸線方向Ｏ１後端から先端まで達する通水路を備えて略筒状に形成されている。また、ホース取付部材１１は、後端側に、ホース７の先端側を接続するためのホース接続部１９を備え、先端側に、外面側がヘッド本体１０に係合し、内面側が吐水口部材１２の後端側を挿入して係合する吐水口係合受部２０を備えて構成されている。
【００２８】
ホース接続部１９は、その外面に雄ネジの螺刻を施して形成され、ホース７の先端部に固着した雌ネジ部材２１を螺着することによって、ホース７とホース取付部材１１の互いの内部を連通させ、水密性を確保しつつホース７の先端部を接続するように構成されている。
【００２９】
吐水口係合受部２０は、ホース接続部１９との間に段部２２を備えて接続され、この段部２２によってホース接続部１９よりも外径及び内径を大にし拡径して形成されている。
【００３０】
また、吐水口係合受部２０は、所定位置に先端側から後端側に凹む係止孔１１ａが形成されている。さらに、吐水口係合受部２０には、その所定位置に、内面から外面に貫通する固定孔２３が形成されている。
【００３１】
吐水口部材１２は、軸線方向Ｏ１後端から先端まで達する通水路を備えて略筒状に形成されている。吐水口部材１２は、後端側に、ホース取付部材１１の吐水口係合受部２０に挿入して係合する吐水口係合部２５を備え、先端側に、ヘッド本体１０に係合し、吐水口２を形成する吐水口本体部２６を備えて構成されている。
【００３２】
吐水口本体部２６、ひいては吐水口部材１２の先端には、シャワー吐水、線吐水などの吐水状態を選択的に切り替えて設定するための吐水調節機構２７が具備されている。また、吐水口係合部２５の外面には、水密性を確保するためのＯリングなどのシーリング材２８が取り付けられている。
【００３３】
さらに、吐水口部材１２には、吐水口係合部２５の所定位置の全周に亘って、外面から内面側に凹む固定孔２９が形成されている。
【００３４】
カバー部材１３は、主に、吐水ヘッド３を支持体１の先端側に収納した状態で吐水部４の意匠性を確保、向上させるためのものであり、ヘッド本体１０の円弧面状の外面を覆うように取り付けられている。本実施形態では、ヘッド本体１０の後端側からカバー部材１３を嵌合させつつスライド移動することによって、カバー部材１３がヘッド本体１０の外面を覆うように取り付けられる。
【００３５】
さらに、カバー部材１３には、所定位置に、外面から内面に貫通する固定孔３０が形成されている。
【００３６】
そして、上記構成からなる本実施形態の水栓Ａにおいて、吐水ヘッド３を組み付ける際には、まず、図６（図４、図５）に示すように、ホース７の先端部に固着した雌ネジ部材２１をホース接続部１９に螺着して、ホース取付部材１１をホース７の先端部に一体に取り付ける。
【００３７】
次に、ホース７の後端をヘッド本体１０の先端１０ａ側から内孔１０ｂに差し込むとともにヘッド本体１０の後端からホース７を引き出し、ホース取付部材１１をヘッド本体１０の内孔１０ｂにヘッド本体１０の先端１０ａ側から挿入する。
【００３８】
このとき、ホース取付部材１１をヘッド本体１０の内孔１０ｂに挿入するとともに、ヘッド本体１０に設けられた係止片１７の係止部１７ａがホース取付部材１１の外面に押圧され、係止片１７が弾性変形する。さらに、ヘッド本体１０の内孔１０ｂの第１係合面１６ａにホース接続部１９、第２係合面（段部受け面）１６ｂに段部２２、第３係合面１６ｃに吐水口係合受部２０がそれぞれ係合して、ホース取付部材１１がヘッド本体１０の内孔１０ｂの所定位置に配設されると、図７、図８に示すように、係止片１７の係止部１７ａがホース取付部材１１の係止孔１１ａに嵌り、ホース取付部材１１が所定位置に位置決め保持される。
【００３９】
また、図６（図４、図５）に示すように、所定位置に位置決めしてホース取付部材１１がヘッド本体１０の内孔１０ｂに挿入配置されると、ホース取付部材１１の固定孔２３がヘッド本体１０の固定孔１８に重なって連通する。
【００４０】
次に、図９（図４、図５）に示すように、ヘッド本体１０の先端１０ａ側からヘッド本体１０の内孔１０ｂに吐水口部材１２を挿入し、吐水口係合部２５をホース取付部材１１の吐水口係合受部２０に嵌め込んで係合させ、吐水口部材１２をヘッド本体１０の所定位置に取り付ける。
【００４１】
このようにして所定位置に吐水口部材１２がヘッド本体１０の内孔１０ｂに挿入配置するとともに軸線Ｏ１周りに回動させて吐水口部材１２の向きを調整し、吐水口部材１２の固定孔２９をホース取付部材１１の固定孔２３、ヘッド本体１０の固定孔１８に重ねて連通させる。
【００４２】
次に、ヘッド本体１０の後端側から嵌合させつつスライド移動させてカバー部材１３をヘッド本体１０の外面を覆うように取り付ける。また、ヘッド本体１０の所定位置に配置してカバー部材１３が取り付けられると、カバー部材１３の固定孔３０が吐水口部材１２の固定孔２９、ホース取付部材１１の固定孔２３、ヘッド本体１０の固定孔１８に重なって連通する。
【００４３】
このとき、カバー部材１３がヘッド本体１０の所定位置に配設されると、図４、図５、図６に示すように、カバー係止片３２の係止部３２ａがカバー部材１３に係止され、カバー部材１３が所定位置に位置決め保持される。
【００４４】
そして、互いに重なって連通したカバー部材１３の固定孔３０、吐水口部材１２の固定孔２９、ホース取付部材１１の固定孔２３、ヘッド本体１０の固定孔１８の内部に固定部材（くさび部材）３１を挿入して嵌合する。これにより、ヘッド本体１０とホース取付部材１１と吐水口部材１２の３つの部材、さらに本実施形態ではカバー部材１３を合わせた４つの部材が固定部材３１によって一体に固定され、吐水ヘッド３が形成される。
【００４５】
したがって、本実施形態の水栓Ａにおいては、筒状のヘッド本体１０と、ホースの先端部を接続し、ヘッド本体１０の内孔１０ｂに挿入配置されるホース取付部材１１と、吐水口２を有し、ヘッド本体１０内孔１０ｂ内に挿入配置される吐水口部材１２のそれぞれに固定孔１８、２３、２９が形成され、所定位置に配置するとともに互いに連通した固定孔１８、２３、２９に固定部材３１を挿入して嵌合させることによって、ヘッド本体１０とホース取付部材１１と吐水口部材１２の３部材を一度に一体に接続固定することができる。
【００４６】
さらに、本実施形態では、カバー部材１３にも固定孔３０を形成し、固定部材３１によってヘッド本体１０とホース取付部材１１と吐水口部材１２とカバー部材１３の４部材を一度に一体に接続固定することができる。
【００４７】
よって、本実施形態の水栓Ａによれば、一つ（一か所）の固定部でヘッド本体１０とホース取付部材１１と吐水口部材１２を固定することができ、従来と比較し、組付性（組み付け時の作業性）を大幅に向上させることができる。また、固定部の構成を簡素化することができ、製造コスト、製品コストの低減を図ることが可能になる。
【００４８】
また、本実施形態の水栓Ａにおいては、ヘッド本体１０に係止片１７が設けられ、ヘッド本体１０の内孔１０ｂにホース取付部材１１を挿入し所定位置に配置するとともに、このホース取付部材１１を係止片１７によって係止し位置決め保持することができる。
【００４９】
これにより、組み付け時にホース取付部材１１ひいてはホース７を仮固定することができ、さらなる組付性の向上を図ることができる。また、これに加え、係止片１７が設けられていることによって、吐水口部材１２のみを取り外したいときに固定部材３１を外してもホース取付部材１１ひいてはホース７がヘッド本体１０から外れて脱落することがない。これにより、取扱性をよくすることが可能になる。
【００５０】
以上、本発明に係る水栓の一実施形態について説明したが、本発明は上記の一実施形態に限定されるものではなく、その趣旨を逸脱しない範囲で適宜変更可能である。
【００５１】
例えば、本実施形態では、水栓Ａの形状が直線状であるものとして図示、説明したが、グースネック形状など別の形状であってもよい。この場合においても、カウンターや壁等への固定側を後端側、吐水口のある側を先端側として考えればよい。
【００５２】
また、本実施形態では、本発明に係る水栓が自動水栓Ａであるものとして説明を行ったが、本発明に係る水栓は自動水栓に限定する必要はない。
【００５３】
また、本実施形態において、「筒状」は中が空いているもの、内孔を有するものであればよく、例えば断面角形状であってもよい。
【符号の説明】
【００５４】
１      支持体
２      吐水口
３      吐水ヘッド
３ａ    上面
３ｂ    後端面
３ｃ    嵌合孔
４      吐水部
５      センサ部
５ａ    検知センサ
６      保持部
７      ホース
１０    ヘッド本体
１０ａ  先端
１０ｂ  内孔
１１    ホース取付部材
１１ａ  係止孔
１２    吐水口部材
１３    カバー部材
１４    支持体嵌合部
１５    吐水口嵌合部
１６    ホース取付嵌合部
１６ａ  第１係合面
１６ｂ  第２係合面
１６ｃ  第３係合面
１７    係止片
１７ａ  係止部
１８    固定孔
１９    ホース接続部
２０    吐水口係合受部
２１    雌ネジ部材
２２    段部
２３    固定孔
２５    吐水口係合部
２６    吐水口本体部
２７    吐水調節機構
２８    シーリング材
２９    固定孔
３０    固定孔
３１    固定部材
３２    係止片
３３ａ  係止部
Ａ      水栓
Ｂ      洗面化粧台
Ｏ１    軸線
Ｔ１    引出方向
【図１】
0006445410.tif 000002
【図２】
0006445410.tif 000003
【図３】
0006445410.tif 000004
【図４】
0006445410.tif 000005
【図５】
0006445410.tif 000006
【図６】
0006445410.tif 000007
【図７】
0006445410.tif 000008
【図８】
0006445410.tif 000009
【図９】
0006445410.tif 000010